(57)【要約】【課題】電源のオフ／オンが発生するような環境でも動作の停止および開始を容易に行うことができるパケット交換装置を得る。【解決手段】外部から与えられるミラーリング指定情報に基づきポートに入出力されるパケットを他のポートにミラーリングするパケット交換部４、外部から与えられるフィルタリング設定情報に基づき受信されたパケットのフィルタリングを行うフィルタリング処理部５２、フィルタリンされたパケットを記憶するメモリ部５４、外部の図示しない設定・監視端末からの要求に応じてメモリ部５４に記憶されたパケットを取り出し、送出部６４を介して外部へ送出するパケット取出部６３、不揮発性メモリで構成されミラーリング指定情報およびフィルタリング設定情報を抽出条件として格納する抽出条件格納部１０、電源オンによる再起動時に前記抽出条件を読み出す抽出条件読出設定部６５を設けた。【選択図】図３
2018006845.tif 000002
【特許請求の範囲】
【請求項１】
複数のポート、パケット交換部、キャプチャ処理部、抽出条件記憶部、制御部、および抽出条件読出設定部を有し、電源から電力の供給を受けて動作するパケット交換装置であって、
前記パケット交換部は、前記ポートに入力されるパケットを交換して前記ポートに出力するとともに、抽出条件指定装置から与えられるミラーリング指定情報に基づき前記ポートに入力されるまたは前記ポートから送信される前記パケットを他の前記ポートにミラーリングするものであり、
前記キャプチャ処理部は、パケット受信部、フィルタリング処理部、メモリコントロール部、およびメモリ部を有し、
前記パケット受信部は、ミラーリングされた前記パケットを受信するものであり、
前記フィルタリング処理部は、受信した前記パケットを前記抽出条件指定装置から与えられるフィルタリング設定情報に基づきフィルタリングを行いフィルタリングされた前記パケットを出力するものであり、
前記メモリ部は、電力の供給を受けることなくデータを保持することが可能にされたものであり、
前記メモリコントロール部は、フィルタリングされた前記パケットを前記メモリ部に書き込み保持させるとともに読み出しを行うものであり、
前記抽出条件記憶部は、電力の供給を受けることなく情報を保持することが可能にされたものであって、前記情報として前記ミラーリング指定情報および前記フィルタリング設定情報を保持するものであり、
前記制御部は、データ取出部、データ送出部、抽出条件読出設定部を有し、
前記データ取出部は、データ取出指令を受けて前記メモリコントロール部を介して前記メモリ部に保持された前記パケットを読み出すものであり、
前記データ送出部は、読み出された前記パケットを送出するものであり、
前記抽出条件読出設定部は、前記電源からの電力の供給がなくなり動作が一旦停止した後再度前記電源から電力の供給を受けて動作を開始するとき、前記ミラーリング指定情報を前記抽出条件記憶部から読み出し前記パケット交換部に与え、前記フィルタリング設定情報を前記抽出条件記憶部から読み出し前記フィルタリング処理部に与えるものである
パケット交換装置。
【請求項２】
前記キャプチャ処理部は、パケット圧縮部を有するものであって、
前記パケット圧縮部は、前記フィルタリング処理部と前記メモリコントロール部との間に設けられ、フィルタリングされた前記パケットを圧縮するものであり、
前記メモリコントロール部は、圧縮された前記パケットを前記メモリ部に書き込み保持させるとともに読み出しを行うものである
請求項１に記載のパケット交換装置。
【請求項３】
時刻情報を出力する時刻情報部を有するものであって、
前記キャプチャ処理部は、ヘッダ付加部を有し、
前記ヘッダ付加部は、前記フィルタリング処理部と前記メモリコントロール部との間に設けられ、フィルタリングされた前記パケットにヘッダとして前記時刻情報を付加するものであり、
前記制御部は、ファイル化処理部を有し、
前記ファイル化処理部は、ヘッダが付加された前記パケットをファイルに保存するものであり、
前記データ送出部は、前記ファイルを送出するものである
請求項１または請求項２に記載のパケット交換装置。
【請求項４】
前記制御部は、ファイル圧縮部を有するものであって、
前記ファイル圧縮部は、前記ファイル化処理部と前記データ送出部との間に設けられ、前記ファイルを圧縮して前記データ送出部に送るものである
前記データ送出部は、圧縮された前記ファイルを送出するものである
請求項３に記載のパケット交換装置。
【請求項５】
通信インタフェース部を有するものであって、
前記通信インタフェース部は、前記制御部と他のパケット交換装置に接続される端末との間で前記パケット交換部を介して通信を可能にするものである
請求項１から請求項４のいずれか１項に記載のパケット交換装置。
【請求項６】
データ取込指令部とカード用データ送出部とを有し、
前記カード用データ送出部は、前記データ取込指令部からの指令を受けて前記メモリコントロール部を介して前記メモリ部に保存された前記パケットを読み出し、着脱可能に装着された記憶装置に記憶させるものである
請求項１から請求項５のいずれか１項に記載のパケット交換装置。
【発明の詳細な説明】
【技術分野】
【０００１】
本発明は、パケット交換装置に関する。
【背景技術】
【０００２】
一般に、パケット交換装置では、通信の異常発生時に、原因究明の手段として、ネットワークを流れるパケットをキャプチャし、そのパケットを解析して、ネットワークに悪影響を及ぼす異常パケットが存在しないか、通信シーケンスの手順の中でパケット抜けがないか等を確認し、問題の切り分けを行っている。従来、パケットをキャプチャする方法としては、高価なＬＡＮアナライザ専用装置、または処理能力が低くてもよければＬＡＮアナライザ用のソフト、例えばフリーのソフトウェアであればＷｉｒｅＳｈａｒｋ等が知られている、をインストールしたパソコンを、イーサネット（登録商標）回線の間に設けたネットワークタップなどの分岐装置に接続したり、または他のポートを流れるパケットを転送する機能であるミラーリングの設定を行ったパケット交換装置自体の空きポートに接続する方法がある（例えば、非特許文献１参照）。
【０００３】
また、高速なパケット転送を可能とするパケットキャプチャ装置を設けてパケットキャプチャを行う、次のようなものが知られている。すなわち、ユーザが入力したパケットキャプチャのフィルタ条件がパケットキャプチャ部に通知され、パケットキャプチャ部では通知されたキャプチャフィルタを、例えば宛先情報のみに限定することで条件を簡略化した第２のフィルタ条件を生成してパケット転送エンジンの第２のキャプチャ用フィルタ格納部に格納する。また、ユーザの入力したフィルタ条件を第１のフィルタ条件として第１のキャプチャ用フィルタ格納部に格納する。パケット転送エンジンでは、パケットの転送を行う際に、転送エンジン側パケットキャプチャ部より第２のキャプチャ用フィルタ格納部に格納されている第２のフィルタ条件を参照し、転送しようとしているパケットがキャプチャ対象であるか否かを判断し、キャプチャ対象と判断されたパケットは、転送エンジン側パケットキャプチャ部のコピー部でパケットのコピー処理を行い、コピー処理されたパケットは制御用プロセッサに通知され、制御用プロセッサ側のパケットキャプチャ部は通知されたパケットを受信して、制御用プロセッサ側で保持する第１のフィルタ条件を参照し、転送しようとしているパケットがキャプチャ対象であるか否かを第１のフィルタ条件のどれかに一致するかどうかで判断し、キャプチャ対象と判断されたパケットは、キャプチャデータとしてキャプチャデータ格納部への格納処理を実行する（例えば、特許文献１参照）。
【先行技術文献】
【特許文献】
【０００４】
【特許文献１】特開２０１２−１５６６９５号公報
【非特許文献】
【０００５】
【非特許文献１】「ＷｉｒｅＳｈａｒｋでつかむパケットの実体」、日経ＮＥＴＷＯＲＫ、日経ＢＰ社、２０１４年７月号特集１、平成２６年０６月２８日発行、ｐ．２４−４３
【発明の概要】
【発明が解決しようとする課題】
【０００６】
従来の特許文献１に記載のパケットキャプチャ装置は、以上のように構成され、このようなパケットキャプチャ装置の機能を組み込んだパケット交換装置を実現しようとすると、パケットの高速転送は可能であるが、ネットワークシステムが日中のみ稼動し、夜間は電源がオフされるような場合や、１日に数度の電源のオン／オフ（ＯＮ／ＯＦＦ）が発生するような場合については特に触れられていない。このような場合、新たにＵＰＳ（無停電電源装置）を設置することが困難な場合は、電源がオフまたはオンする度に、パケットキャプチャ装置の動作の停止に先立ち途中までキャプチャしたデータを手動で保存したり、再開するとき抽出条件を設定したりする作業が必要となり、電源のオフ／オンが発生するような環境では前記のようなパケットキャプチャ装置の機能を組み込んだパケット交換装置を実現することは非常に難しかった。
【０００７】
この発明は前記のような問題点を解決するためになされたものであり、電源のオフ／オンが発生するような環境でも動作の停止および開始を容易に行うことができるパケット交換装置を得ることを目的とする。
【課題を解決するための手段】
【０００８】
この発明に係るパケット交換装置においては、
複数のポート、パケット交換部、キャプチャ処理部、抽出条件記憶部、制御部、および抽出条件読出設定部を有し、電源から電力の供給を受けて動作するパケット交換装置であって、
前記パケット交換部は、前記ポートに入力されるパケットを交換して前記ポートに出力するとともに、抽出条件指定装置から与えられるミラーリング指定情報に基づき前記ポートに入力されるまたは前記ポートから送信される前記パケットを他の前記ポートにミラーリングするものであり、
前記キャプチャ処理部は、パケット受信部、フィルタリング処理部、メモリコントロール部、およびメモリ部を有し、
前記パケット受信部は、ミラーリングされた前記パケットを受信するものであり、
前記フィルタリング処理部は、受信した前記パケットを前記抽出条件指定装置から与えられるフィルタリング設定情報に基づきフィルタリングを行いフィルタリングされた前記パケットを出力するものであり、
前記メモリ部は、電力の供給を受けることなくデータを保持することが可能にされたものであり、
前記メモリコントロール部は、フィルタリングされた前記パケットを前記メモリ部に書き込み保持させるとともに読み出しを行うものであり、
前記抽出条件記憶部は、電力の供給を受けることなく情報を保持することが可能にされたものであって、前記情報として前記ミラーリング指定情報および前記フィルタリング設定情報を保持するものであり、
前記制御部は、データ取出部、データ送出部、抽出条件読出設定部を有し、
前記取出部は、データ取出指令を受けて前記メモリコントロール部を介して前記メモリ部に保持された前記パケットを読み出すものであり、
前記データ送出部は、読み出された前記パケットを送出するものであり、
前記抽出条件読出設定部は、前記電源からの電力の供給がなくなり動作が一旦停止した後再度前記電源から電力の供給を受けて動作を開始するとき、前記ミラーリング指定情報を前記抽出条件記憶部から読み出し前記パケット交換部に与え、前記フィルタリング設定情報を前記抽出条件記憶部から読み出し前記フィルタリング処理部に与えるものである。
【発明の効果】
【０００９】
この発明に係るパケット交換装置は、電力の供給を受けることなくデータを保持することが可能にされフィルタリングされたパケットが書き込まれ保持されるメモリ部、電力の供給を受けることなく情報を保持することが可能にされたものであって情報としてミラーリング指定情報およびフィルタリング設定情報を保持する抽出条件記憶部、電源からの電力の供給がなくなり動作が一旦停止した後再度電源から電力の供給を受けて動作を開始するとき、ミラーリング指定情報を抽出条件記憶部から読み出しパケット交換部に与え、フィルタリング設定情報を抽出条件記憶部から読み出しフィルタリング処理部に与える抽出条件読出設定部を有するので、電源のオフ／オンが発生するような環境でも動作の停止および開始を容易に行うことができる。
【図面の簡単な説明】
【００１０】
【図１】実施の形態１であるパケット交換装置を有するネットワークの構成を示す構成図である。
【図２】図１のパケット交換装置の構成を示す構成図である。
【図３】図２のパケット交換装置のキャプチャ処理部および制御部の詳細構成を示す構成図である。
【図４】実施の形態２であるキャプチャ処理部および制御部の詳細構成を示す構成図である。
【図５】実施の形態３であるパケット交換装置の構成を示す構成図である。
【図６】図５のキャプチャ処理部および制御部の詳細構成を示す構成図である。
【図７】図６の制御部の処理を示すフローチャートである。
【図８】図６のヘッダ付加部でヘッダが付加されたパケットの構成を示す構成図である。
【図９】図７でパケットが保存されたファイルの構成を示す構成図である。
【図１０】実施の形態４であるキャプチャ処理部および制御部の詳細構成を示す構成図である。
【図１１】図１０に示した制御部の処理を示すフローチャートである。
【図１２】実施の形態５であるパケット交換装置の構成を示す構成図である。
【図１３】実施の形態６であるパケット交換装置の構成を示す構成図である。
【図１４】図１３のキャプチャ処理部および制御部の詳細構成を示す構成図である。
【発明を実施するための形態】
【００１１】
実施の形態１．
図１〜図３は、この発明を実施するための実施の形態１を示すものであり、図１はパケット交換装置を有するネットワークの構成を示す構成図、図２は図１のパケット交換装置の構成を示す構成図、図３は図２のパケット交換装置のキャプチャ処理部および制御部の詳細構成を示す構成図である。図１において、ネットワーク１００は、パケットの交換を行う複数（５台）のパケット交換装置１０１が接続されて構成されている。おのおののパケット交換装置１０１には、ＬＡＮ回線２を介して、ＩＰ端末８がそれぞれ接続されている。
【００１２】
なお、図１は、ネットワーク構成の一例としてリング構成のものを示している。また、図１においては、説明の便宜上、１つのパケット交換装置１０１に対して、１つのＩＰ端末８が接続されている例を示しているが、これに限られるものではなく、１つのパケット交換装置１０１に対して、複数のＩＰ端末８がそれぞれＬＡＮインタフェース部３（図２）を介して接続されている場合が一般的である。さらに、パケット交換装置１０１には、設定および監視を行うための抽出条件指定装置および端末としての設定・監視端末９が接続されている。なお、図１においては、設定・監視端末９は１個だけパケット交換装置１０１に接続されている例を示したが、これに限られるものではなく、パケット交換装置１０１のいずれかまたは複数に接続されていてもよい。
【００１３】
パケット交換装置１０１は、図２に示されるように、複数のポートとしてのＬＡＮインタフェース部３と、パケット交換部４と、キャプチャ処理部５と、制御部６と、抽出条件記憶部としての抽出条件格納部１０とを有する。キャプチャ処理部５は、図３に示されるように、パケット受信部５１、フィルタリング処理部５２、メモリコントロール部５３、メモリ部５４を有し、これらが相互に接続されている。制御部６は、中継部６１、設定制御部６２、データ取出部としてのパケット取出部６３、データ送出部としての送出部６４、抽出条件読出設定部６５を有し、これらが図３に示されるように接続されている。また、図２に示されるように、ＬＡＮインタフェース部３にパケット交換部４が接続されている。パケット交換部４に、キャプチャ処理部５が接続されている。パケット交換部４およびキャプチャ処理部５が、バス７を介して制御部６に接続されている。制御部６に、抽出条件格納部１０が接続されている。そして、制御部６には設定・監視端末９が接続される。なお、抽出条件格納部１０とメモリ部５４については、不揮発性メモリを使用することで、電源オフ時にもデータが保持される。
【００１４】
次に動作について説明する。パケット交換部４は、ＬＡＮインタフェース部３に入力されるパケットを交換して他のＬＡＮインタフェース部３に出力する。動作の開始に際して初期条件として、パケット交換部４に対して、設定・監視端末９から制御部６の中継部６１および設定制御部６２を介して、パケットのミラーリングを行いたいポートを指定するミラーリング指定情報が与えられる。このとき、設定制御部６２を介して抽出条件格納部１０に情報としてのミラーリング指定情報が保存される。パケット交換部４は、複数のＬＡＮインタフェース部３の内、ミラーリング指定情報で指定されたＬＡＮインタフェース部３から受信したパケットについて、または送信したパケットについて、ミラーリングを行い、キャプチャ処理部５へコピーを送信する。
【００１５】
キャプチャ処理部５において、パケット交換部４から送信されたパケットをパケット受信部５１で受けて、フィルタリング処理部５２に渡す。動作の開始に際して初期条件として、設定・監視端末９から制御部６の中継部６１を介して、フィルタリングを行うためのフィルタリング設定情報としての比較情報および条件式（以下、フィルタリング設定情報という）がフィルタリング処理部５２に与えられるとともに、設定制御部６２を介して抽出条件格納部１０に情報としてのフィルタリング設定情報が送られ保持される。フィルタリング処理部５２は、パケット受信部５１から受信したパケットのうち、フィルタリング設定情報に合致するパケットを抽出してメモリコントロール部５３に渡す。フィルタリング設定情報のうち、比較情報は、パケットの先頭からの位置とデータ長、およびそのときのデータパターンを用いた自由形式としてもよいし、ＭＡＣアドレス、ＩＰアドレス、プロトコル、マルチキャストといったような具体的な識別子を指定するものであってもよい。また、条件式はパケットが比較情報と一致したときにパケットを通すのか、不一致のときにパケットを通すのかを指示するものである。なお、ミラーリング指定情報およびフィルタリング設定情報がこの発明における「抽出条件」であり、抽出条件格納部１０に格納され、保持される。
【００１６】
メモリコントロール部５３は、フィルタリング処理部５２から受け取ったパケットをメモリ部５４に格納する。メモリ部５４へのパケットの格納の方法は、格納したパケットがメモリ容量いっぱいになれば新しいパケットを上書きしていく方式であるリングバッファ方式としてもよいし、容量いっぱいになったところで書き込みを止める方式としてもよい。
【００１７】
任意の時間が経過後、キャプチャしたデータを取り出す必要が生じたときに、設定・監視端末９をパケット交換装置１０１に接続し、設定・監視端末９から制御部６の中継部６１を介してパケット取出部６３に対しパケット（データ）の取出指令を発信し、パケット取出部６３は前記取出指令を受けてメモリコントロール部５３を介してメモリ部５４に格納されたパケット（キャプチャされたパケット）を読み出し、送出部６４および中継部６１を介して設定・監視端末９にパケットを渡す。
【００１８】
次に、パケット交換装置１０１への電源（電力の供給）がオフ／オンされる場合の動作について説明する。抽出条件格納部１０およびメモリ部５４には、不揮発性メモリが使用されており、電源オフ時にもデータが保持されている。電源がオフされた後、再び電源がオンされると、制御部６の抽出条件読出設定部６５は、抽出条件格納部１０からミラーリング指定情報を読み取り、パケット交換部４に与え、設定を行う。続いて、フィルタリングのためのフィルタリング設定情報を読み取り、フィルタリング処理部５２に与え、設定を行い、キャプチャ処理開始を指示する。
【００１９】
この実施の形態におけるパケット交換装置は、以上のように構成され、指示されたフィルタリング条件に合致するパケットをフィルタリング処理部５２により抽出して、パケット交換装置の中のメモリ部５４に格納し、必要時に設定・監視端末９を接続し、パケットを取り出すようにしたので、外部に新たなキャプチャ用の装置を設置することを要しない。また、フィルタリングされ記憶されているパケットを必要なときに取り出すことが可能である。さらに、電源オフ時にも、パケット交換装置の中に抽出条件とキャプチャしたデータとを保持するようにしたので、電源のオフ／オンが発生するような環境でも動作の停止および開始を容易に行うことができ、パケットのキャプチャを容易に実施できる。
【００２０】
実施の形態２．
図４は、実施の形態２であるキャプチャ処理部および制御部の詳細構成を示す構成図である。図４において、キャプチャ処理部５の代わりに設けられたキャプチャ処理部２５は、パケット圧縮部２５１を有する。パケット圧縮部２５１は、フィルタリング処理部５２とメモリコントロール部５３との間に設けられている。その他の構成については、実施の形態１と同様のものであるので、相当するものに同じ符号を付して説明を省略する。この実施の形態では、キャプチャ処理部２５にパケット圧縮部２５１を設け、フィルタリング処理部５２にて抽出されたパケットをパケット圧縮部２５１にて圧縮し、メモリコントロール部５３を介してメモリ部５４に記憶させる。これにより、メモリ部５４に一度に格納できるパケット数を増やすことが可能となる。
【００２１】
実施の形態３．
図５〜図９は実施の形態３を示すものであり、図５はパケット交換装置の構成を示す構成図、図６は図５のキャプチャ処理部および制御部の詳細構成を示す構成図、図７は図５の制御部の処理を示すフローチャートである。図８は図６のヘッダ付加部でヘッダが付加されたパケットの構成を示す構成図、図９はパケットが保存されたファイルの構成を示す構成図である。この実施の形態では、実施の形態１と比較して、図５に示すように、パケット交換装置３０１は、時計１１、バックアップ電源１２、キャプチャ処理部３５、制御部３６を有する。キャプチャ処理部３５は、図６に示されるように、時刻情報部３５１とヘッダ付加部３５２とを有する。ヘッダ付加部３５２は、フィルタリング処理部５２とメモリコントロール部５３との間に設けられている。制御部３６は、時刻設定部３６１およびファイル化処理部３６２を有する。その他の構成については、実施の形態１と同様のものであるので、相当するものに同じ符号を付して説明を省略する。
【００２２】
時計１１は、制御部３６の中継部６１および時刻設定部３６１を介して、設定・監視端末９から時刻が設定され、時を刻む。また、時計１１は、電源オフ時や停電時にもバックアップ電源１２から動作用電力が供給され、時を刻み続けることが可能である。時刻情報部３５１は、時計１１の現在の時刻が、時刻設定部３６１により中継部６１を介して設定され、その後は独立して時を刻み続ける。ヘッダ付加部３５２は、フィルタリング処理部５２からパケットを受信すると、時刻情報部３５１からそのタイミングの時刻情報を受け取るとともに、受信したパケット長をカウントし、図８に示されるようにパケットの先頭にパケットヘッダとして時刻情報およびデータ長（パケット長）を付加する。パケットヘッダが付加されたパケットは、メモリコントロール部５３によりメモリ部５４に格納される。
【００２３】
次に、メモリ部５４に格納されたパケットのファイル化および取り出しについて図７のフローチャートにより説明する。任意の時間が経過後、設定・監視端末９から制御部３６のパケット取出部６３に対し取出指令を発し（ステップＳ３１）、続いてパケット取出部６３はメモリコントロール部５３を介してメモリ部５４に格納されたパケット（パケットヘッダが付加されている）を順番に読み出す（ステップＳ３２）。ファイル化処理部３６２は読み出されたパケットを結合し、その先頭にファイルヘッダを付けてファイル化を行う、すなわちファイルに保存する（ステップＳ３３）。ファイルの形式は、例えば図９に示されるようなキャプチャデータ用のファイル形式として知られているＬｉｂｐｃａｐファイル形式である。送出部６４は、ファイル化されたデータ（ファイル）を中継部６１を介して送出し、設定・監視端末９に渡す（ステップＳ３４）。
【００２４】
以上のように、この実施の形態においては、標準的なパケットキャプチャ用のファイル形式でファイル化して設定・監視端末９に渡すようにしたので、汎用的なパケット解析用のソフトウェア、例えばＷｉｒｅＳｈａｒｋ等を利用することが可能となり、解析が容易となる。
【００２５】
実施の形態４．
図１０および図１１は、実施の形態４を示すものであり、図１０はキャプチャ処理部および制御部の詳細構成を示す構成図、図１１は図１０の制御部の処理を示すフローチャートである。図１０において、制御部４６は、ファイル圧縮部４６１を有する。ファイル圧縮部４６１は、ファイル化処理部３６２と送出部６４との間に設けられている。その他の構成については、図６の実施の形態３と同様のものであるので、相当するものに同じ符号を付して説明を省略する。この実施の形態では、図１１のフローチャートに示されるように、ファイル化処理部３６２によりファイル化されたデータを、ステップＳ４１においてファイル圧縮部４６１によりファイル圧縮、例えばＺＩＰ形式のファイル圧縮を実行した後、圧縮されたファイルを送出部６４により中継部６１を介して送出し、設定・監視端末９に渡すようにした。従って、設定・監視端末９へのファイル送信時間の短縮を図ることができる。
【００２６】
実施の形態５．
図１２は、実施の形態５であるパケット交換装置の構成を示す構成図である。図１２において、パケット交換装置５０１は通信インタフェース部（通信ＩＦ部）１３を有する。その他の構成については、図１０に示した実施の形態３と同様のものであるので、相当するものに同じ符号を付して説明を省略する。この実施の形態においては、通信ＩＦ部１３を設けることで、パケット交換部４と、他のパケット交換装置に接続される図示しない設定・監視端末との間で、ＬＡＮインタフェース部３およびＬＡＮ回線２を介して、通信（ＩＰ通信）が可能となる。従って、他のパケット交換装置に接続される設定・監視端末から、キャプチャの動作の開始や停止、抽出条件の設定、時計１１への時刻設定等の指示指令を受けること可能であり、またキャプチャデータをＦＴＰ（Ｆｉｌｅ  Ｔｒａｎｓｆｅｒ  Ｐｒｏｔｏｃｏｌ）の転送プロトコルを利用して、指示指令を発信した設定・監視端末に送信できる。従って、その都度対象のパケット交換装置の側まで行ってキャプチャデータを受信する作業を行う必要がなくなり、利便性が高まる。
【００２７】
実施の形態６．
図１３および図１４は、実施の形態６を示すものであり、図１３はパケット交換装置の構成を示す構成図、図１４は図１３のキャプチャ処理部および制御部の詳細構成を示す構成図である。図１３において、パケット交換装置６０１はデータ取込指令部としての取込ボタン１５と制御部６６とを有する。制御部６６は、図１４に示されるように、カードコネクタ６６１、カード用データ送出部としてのカード用送出部６６２を有する。カードコネクタ６６１には、記憶装置としてのメモリカード１４が着脱可能に装着される。その他の構成については、図１２に示した実施の形態５と同様のものであるので、相当するものに同じ符号を付して説明を省略する。
【００２８】
次に、メモリ部５４に記憶されたキャプチャデータをメモリカード１４に取り出すときの動作を説明する。まず、メモリカード１４をカードコネクタ６６１に挿入する。次に、取込ボタン１５が押されると、制御部６６のカード用送出部６６２に対してメモリ部５４に記憶されているキャプチャデータを取り込む指令が出され、カード用送出部６６２はメモリコントロール部５３を制御してメモリ部５４に記憶されたキャプチャデータを読み出す。読み出されたキャプチャデータは、ファイル化処理部３６２によりファイル化され、ファイル圧縮部４６１にて圧縮され、カード用送出部６６２からカードコネクタ６６１を介してメモリカード１４に送信され、保存される。
【００２９】
以上のように、キャプチャデータをメモリカード１４に保存できるようにしたので、設定・監視端末９をわざわざ用意しなくても、パケット交換装置からキャプチャデータが書き込まれたメモリカード１４を抜き取るだけで、キャプチャデータを回収することができる。また、設定・監視端末９を操作できない人でも簡単に作業をすることが可能となる。
【００３０】
なお、本発明は、その発明の範囲内において、上述した各実施の形態を自由に組み合わせたり、各実施の形態を適宜、変更、省略したりすることが可能である。
【符号の説明】
【００３１】
１０１，３０１，５０１，６０１  パケット交換装置、２  ＬＡＮ回線、
３  ＬＡＮインタフェース部、４  パケット交換部、
５，２５，３５  キャプチャ処理部、６，３６，４６，６６  制御部、
９  設定・監視端末、１０  抽出条件格納部、１１  時計、１３  通信ＩＦ部、
１４  メモリカード、１５  取込ボタン、５１  パケット受信部、
５２  フィルタリング処理部、５３  メモリコントロール部、５４  メモリ部、
６１  中継部、６２  設定制御部、６３  パケット取出部、６４  送出部、
６５  抽出条件読出設定部、１００  ネットワーク、２５１  パケット圧縮部、
３５１  時刻情報部、３５２  ヘッダ付加部、３６１  時刻設定部、
３６２  ファイル化処理部、４６１  ファイル圧縮部、６６１  カードコネクタ、
６６２  カード用送出部。
【図１】
2018006845.tif 000003
【図２】
2018006845.tif 000004
【図３】
2018006845.tif 000005
【図４】
2018006845.tif 000006
【図５】
2018006845.tif 000007
【図６】
2018006845.tif 000008
【図７】
2018006845.tif 000009
【図８】
2018006845.tif 000010
【図９】
2018006845.tif 000011
【図１０】
2018006845.tif 000012
【図１１】
2018006845.tif 000013
【図１２】
2018006845.tif 000014
【図１３】
2018006845.tif 000015
【図１４】
2018006845.tif 000016